【事件の表示】
　特願２０００−１８６５２５「遊技機」拒絶査定不服審判事件〔平成１３年　３月２７日出願公開、特開２００１−　７９１３６〕について、次のとおり審決する。
【結　論】
　本件審判の請求は、成り立たない。
【理　由】
第１　手続の経緯等
　本願は、特許法４１条に基づく優先権主張（優先日：平成１１年７月１５日、出願番号：特願平１１−２０２２２２号）を伴う平成１２年６月２１日の出願であって、平成１５年８月２２日付けで拒絶理由が通知され、平成１５年１０月１５日付けで意見及び手続き補正がされ、平成１５年１１月２７日付けで拒絶査定がされ、これに対し、平成１６年１月５日付けで拒絶査定不服審判が請求され、当審において平成１９年７月１１日付けで最後の拒絶理由が通知され、平成１９年９月５日付けで手続補正がされたものである。
　平成１５年１０月１５日付け及び平成１９年９月５日付け手続補正書の請求項１に記載された「メダル払出信号に応じて」は、本願の出願当初の明細書又は図面に記載されているものの、本願の優先権主張の基礎となった先の出願である特願平１１−２０２２２２号の出願当初の明細書又は図面には記載されていない。したがって、平成１５年１０月１５日付け及び平成１９年９月５日付け手続補正書の特許請求の範囲の請求項１に係る発明及び請求項１を引用する請求項に係る発明の新規性進歩性等の判断の時点は、本願の出願日である平成１２年６月２１日となる。
　
第２　平成１９年９月５日付けの手続補正についての補正却下の決定
　
［補正却下の決定の結論］
　平成１９年９月５日付けの手続補正（以下、「本件補正」という。）を却下する。
　
［理由］
１．補正後の本願発明
　本件補正により、特許請求の範囲の請求項１は、
　「入賞の場合にメダルを払い出すメダル払出口の略上方に該メダル払出口と離隔して配設され、遊技のスタート信号を入力するスタートレバーを備えた遊技機において、スタートレバーを照光型とし、該照光型スタートレバーの照光をメダル払出信号に応じて変化させるようになしたことを特徴とする遊技機。」と補正された。
　上記補正は、請求項１に記載した発明を特定するために必要な事項である「スタートレバー」について「入賞の場合にメダルを払い出すメダル払出口の略上方に該メダル払出口と離隔して配設され、」との限定を付加するものであって、平成１８年改正前特許法１７条の２第４項２号の特許請求の範囲の減縮を目的とするものに該当する。
　そこで、本件補正後の前記請求項１に記載された発明（以下、「本願補正発明」という。）が特許出願の際独立して特許を受けることができるものであるか（平成１８年改正前特許法１７条の２第５項において準用する同法１２６条第５項の規定に適合するか）について以下に検討する。
　
２．引用文献について
  
（１）引用文献１について
　当審において拒絶の理由に引用された特開２０００−１２６３６４号公報（公開日：平成１２年５月９日）（以下、「引用文献１」という。）には、以下の事項が図面とともに記載されている。
　
・記載事項１
　「【特許請求の範囲】【請求項１】遊技面の近傍に遊技を行うための遊技操作具を備えた遊技機において、上記遊技操作具又はその周辺の部材に設けられ、少なくとも２以上の異なる態様で発光可能な発光体と、遊技状況に応じて、この発光体を異なる態様で発光させる制御部とを備えたことを特徴とする遊技機の発光報知装置。」　　　
　
・記載事項２
　「【０００９】【発明の実施の形態】以下、本発明の実施の形態を図面に基づいて説明する。図１は本発明の第１の実施形態に係る発光報知装置を備えるスロットマシンＡを示す。このスロットマシンＡは、装置類を収納する筐体（図示せず）の前側に開閉可能に取り付けられた前扉１を有しており、この前扉１にはリール表示窓２、クレジット枚数表示部３、払出枚数表示部４、役物当選回数表示部５、メダル投入口６、スタートレバー７、３個の停止ボタン８，８，８、１ベットボタン９、２ベットボタン１０、３ベットボタン１１、メダル返却ボタン１２、精算スイッチ１３、ドアキー１４、メダル払出口１５、メダル受け皿１６などが設けられている。」
　
・記載事項３
　「【００１４】また、上記スタートレバー７の頭部７ａは、図３及び図４に示すように、管状の軸部７ｂが貫通する中実半球状の裏面材３１と、この裏面材３１との間に中空部を形成するように接合された透光性を有する中空半球状の表面材３２とからなる。この頭部７ａの中空部内には、略円板状のＬＥＤ基板３３が裏面材３１に当接して設けられているとともに、発光体として赤色発光ダイオード３４ａ、緑色発光ダイオード３４ｂ及び青色発光ダイオード３４ｃが各々２個ずつ計６個全てＬＥＤ基板３３上に取り付けて設けられている。上記６個の発光ダイオード３４ａ〜３４ｃは、ＬＥＤ基板３３上に円周方向に６０度間隔毎に等間隔で配置されているとともに、ＬＥＤ基板３３の中心を挟んで対向する２個の発光ダイオード同士が同じ色のもので、互いに異なる色（つまり赤色、緑色又は青色）で発光する３つの発光部を構成している。これらの発光ダイオード３４ａ〜３４ｃに接続されたリード線３５は、軸部７ｂ内を通してスタートレバー７の外部に引き出されている。」
　
・記載事項４
　「【００１６】上記発光制御回路４９は、マシン制御部４０（詳しくはＣＰＵ４１）の制御指令に基づいて、スタートレバー頭部７ａ内の発光ダイオード３４ａ〜３４ｃの発光制御を実行するものであり、この発光制御回路４９を介してマシン制御部４０による発光ダイオード３４ａ〜３４ｃの発光制御は、図６に示すフローチャートに従って行われる。」
　
・記載事項５
　「【００２２】従って、上記第１の実施形態においては、スタートレバー７の頭部７内に設けた３種類の発光ダイオード３４ａ〜３４ｃが、マシン制御部４０の制御に基づいて、スロットマシンＡの遊技状況に応じて種々の態様で発光して演出表示をタイムリーに行う。すなわち、（１）非ゲーム状態での消灯状態からメダル投入等により赤色で発光してスタートレバー７の操作を促し、その操作後に消灯する（ステップＳ１〜Ｓ５）。（２）乱数抽選の結果当たりフラグが成立したときには、赤色と緑色とで交互点滅してフラグ告知を行う（ステップＳ６〜Ｓ１０）。（３）当たり図柄が揃ったときには、７色に点滅して遊技者に入賞をアピールし、達成感を満喫させる（ステップＳ１３〜Ｓ１５）。（４）ボーナスゲーム状態のとき緑色で発光し、ボーナスゲームの終了で消灯する（ステップＳ１７〜Ｓ１９）。」
　
・記載事項６
　図１には、メダル払出口１５の略上方にメダル払出口１５と離隔してスタートレバー７を配設することが図示されている。　
　
　以上の記載事項１〜６及び図１〜１６によれば、引用文献１には次の発明が記載されていると認められる。
　「メダル払出口１５の略上方にメダル払出口１５と離隔して配設されたスタートレバー７を備えた遊技機において、スタートレバーを頭部７ａ内に発光体を設けたものとし、スタートレバー７の発光を遊技状況に応じて変化させるようにした遊技機。」（以下、「引用文献１記載の発明」という。）
　
（２）引用文献２について
　当審において拒絶の理由に引用された特開平１１−３１３９５５号公報（公開日：平成１１年１１月１６日）（以下、「引用文献２」という。）には、以下の事項が図面とともに記載されている。
　
・記載事項７　　
　「【０００６】本発明の目的は、このような問題を解決するために、遊技の結果が入賞態様となってコインのような遊技媒体が払い出されるとき、その払出口から受皿に払い出される遊技媒体及び受皿の中に貯まった遊技媒体を視認しやすくすると共に、入賞態様の種類に応じた照明による演出を可能にする遊技機を提供することである。」
　
・記載事項８
　「【００２６】更に他の態様によれば、照光手段による照明を、入賞態様に応じて点滅させたり発光色を変化させたりするので、入賞態様に応じた様々な演出が可能となる。例えば、発光色の変化は、照光手段からの光を着色透明板に通すことにより実現できる。また、入賞態様に応じて照光手段の点滅の点灯と消灯が切り換わる間隔を変化させるようにすれば、より変化に富んだ照明による演出が可能となる。」
　
・記載事項９
　「【００６８】その後全てのリール７Ｌ，７Ｃ，７Ｒが停止制御され、入賞との判定をした場合には、入賞の種類に対応したコイン払出しデータを表示部駆動回路４６に供給して入賞配当枚数表示器１８にコイン払出し数を表示し、且つ、コイン払出し指令信号をホッパ駆動回路４７に供給してホッパ４０から所定個数のコインの払出しを行う。このとき、ＣＰＵ３１は入賞態様について判別し、照明ランプ２０（及び／又は第２照明ランプ２３）による照明を行う入賞態様であると判別したときは、その入賞態様に応じた照明態様を記憶したＲＯＭ３２内のデータに基いて照明ランプ駆動回路５０に照明ランプ駆動信号を供給して、照明ランプ２０（及び／又は第２照明ランプ２３）を所定の態様で駆動させ、コイン受皿１４を照明する。」
　
・記載事項１０
　「【００７０】・・・例えば、ＣＰＵ３１が「ボーナスゲーム」の入賞を判別したとき、表１のパターン３に示すように、照明ランプ駆動回路５０を制御して、照明ランプ２０の点滅を行い、そのボーナスゲーム中に入賞してコインの払出し指令信号が出されたときは、照明ランプ２０を点灯に切り換えるように照明ランプ駆動回路５０を制御する。そして、コインの払出し終了信号が出されたら、照明ランプ駆動回路５０を制御して照明ランプ２０の点灯を終了させて点滅状態に戻し、その後、ＣＰＵ３１がボーナスゲームの終了を判別したら、照明ランプ駆動回路５０に照明ランプ消灯信号を供給して、照明ランプ２０を消灯する。」
　
３．対比
　引用文献１記載の発明について、以下の（１）〜（３）のことが言える。
（１）「メダル払出口１５」が入賞の場合にメダルを払い出すものであることは、自明である。
（２）「スタートレバー７」が遊技者に操作されると遊技のスタート信号を入力するものであることは、自明である。
（３）「スタートレバー７」はその頭部７ａ内の発光体が発光するものであるから、照光を行っているものである。したがって引用文献１記載の発明は「スタートレバー７を照光型とし」たもの及び「照光型スタートレバーの照光を変化させる」との構成を有しているということができる。
　
　以上により、本願補正発明と引用文献１記載の発明は、
　「入賞の場合にメダルを払い出すメダル払出口の略上方に該メダル払出口と離隔して配設され、遊技のスタート信号を入力するスタートレバーを備えた遊技機において、スタートレバーを照光型とし、該照光型スタートレバーの照光を変化させるようになしたことを特徴とする遊技機。」
である点で一致し、以下の点で相違する。
　
＜相違点＞
　照光型スタートレバーの照光の変化が
本願補正発明ではメダル払出信号に応じて行われるのに対して、
引用文献１記載の発明ではメダル払出信号に応じて行われるものではない点。
　　
４．判断
　上記相違点について検討する。
　上記引用文献２には、上記記載事項９、１０によれば、コイン（本件補正発明のメダルに相当）の払出信号が出されたときに照明ランプ２０を所定の態様で駆動させることが記載されており、当該技術事項は照光をメダル払出信号に応じて変化させると言いかえることができる。
　そして、引用文献２に記載された技術事項を参酌すれば、引用文献１記載の発明において、照光型スタートレバーの照光の変化をメダル払出信号に応じて行うようにし、相違点に係る本願補正発明の構成とすることは当業者が容易に想到することができたものである。
　
　したがって、本願補正発明は、引用文献１、２に記載された発明に基づいて、当業者が容易に発明をすることができたものであるから、特許法２９条２項の規定により特許出願の際独立して特許を受けることができないものである。
　
５．むすび
　以上のとおり、本件補正は、平成１８年改正前特許法１７条の２第５項で準用する同法１２６条第５項の規定に違反するものであり、同法１５９条第１項で準用する同法５３条第１項の規定により却下されるべきものである。　
第３　本件審判請求についての判断
１．本願発明の認定
　平成１９年９月５日付けの手続補正は上記のとおり却下されたので、本願の請求項１に係る発明（以下、「本願発明」という。）は、平成１５年１０月１５日付け手続補正書の特許請求の範囲の請求項１に記載された事項により特定される、以下のとおりのものである。
　「遊技のスタート信号を入力するスタートレバーを備えた遊技機において、スタートレバーを照光型とし、該照光型スタートレバーの照光をメダル払出信号に応じて変化させるようになしたことを特徴とする遊技機。」　
　
２．本願発明の進歩性の判断
　
　（１）引用文献
　当審の拒絶の理由に引用された引用文献及びその記載事項は、前記第２の２．に記載したとおりである。　
　
　（２）対比・判断
　本願発明は、前記第２で検討した本願補正発明から「入賞の場合にメダルを払い出すメダル払出口の略上方に該メダル払出口と離隔して配設され、」との構成を省いたものである。
　そうすると、本願発明の構成をすべて含み、さらに他の構成要件を付加したものに相当する本願補正発明が、前記第２の４．に記載したとおり、引用文献１、２に基づいて当業者が容易に発明をすることができたものであるから、本願発明も同様の理由により、引用文献１、２に基づいて当業者が容易に発明をすることができたものである。　
　
第４　むすび
　以上のとおり、本願発明は、引用文献１及び２に記載された発明に基づいて、当業者が容易に発明をすることができたものであるから、特許法第２９条２項の規定により特許を受けることができない。
　よって、結論のとおり審決する。